(57)【要約】      （修正有）【課題】電動式ローマンシェードを提供する。【解決手段】電動式ローマンシェード２は、制御部２４の制御ユニットを使って動力源２３２の回転を制御し、更にヘッドレール上のロール部２２を連動して上げ下げ動作を行う。また、該ロール部を上げ下げするのと同時に、該伝動装置２３の導線台２３３の回転軸２３５に設けた複数のネジ山２３７に該糸が巻き付けられ該糸に安定した放出を行わせる故、該ロール部は更に安定した昇降を行うことができ、また、該ロール部の昇降過程において該伝動装置に組み合わせた位置制限ユニットの制御により、該ロール部の上げ下げ時、確実に定位し使用の便利性をも高めることができる。【選択図】図４
0003142071.tif 000002
【実用新案登録請求の範囲】
【請求項１】
電動式ローマンシェードにおいて、
一つのヘッドレールは、その内部エリア周囲に開放状態の一つの内設空間を形成し、一つのロール部は、その一端を該ヘッドレール上に固定し、もう一端を自由に開き放ち下垂し並びに一つのエッジを形成し、
一つ伝動装置は、該内設空間内に軸設する一つの軸棒と、該軸棒を回転させる一つの動力源と、該軸棒上に等間隔で設置される複数の導線台とを備え、その内の各導線台は、該ヘッドレールに固設する一つの台体と、該台体に軸設する一つの回転軸と、該回転軸に巻き付ける一つの糸とを含み、前記の回転軸には複数のネジ山を設け、且つ何れか二つのネジ山間には一つの配置空間を設けてあり、該糸を巻き付け且つ該糸に安定した放出をさせるのと同時に、該糸は該ロール部の自由に下垂するエッジに固定接合し、
一つの制御部は、外在制御信号を受信する一つの受信ユニットと、受信ユニットに連結する一つの制御ユニットと、該制御ユニットに連結する一つの位置制限ユニットを備え、その内の該受信ユニットが受信した外在信号は該制御ユニットに伝送され、該制御ユニットを連動し該動力源の駆動を制御し、また該位置制限ユニットは、該内設空間内に設ける一つの基台と、該基台に軸設し該軸棒に連結するネジ棒と、該基台両端に別々に設ける極限スイッチと、該ネジ棒に螺設し該基台に嵌止定位する最低一つのスライド体とを備え、前記の極限スイッチは該制御ユニットに連結し、該スライド体が該極限スイッチを圧止するのと同時に、該動力源を制御して該ロール部の作動を停止させることを特徴とする電動式ローマンシェード。
【請求項２】
請求項１記載の電動式ローマンシェードにおいて、前記ヘッドレールの内設空間内には膨らみ柔らかい組織の消音綿を充填することを特徴とする電動式ローマンシェード。
【請求項３】
請求項１記載の電動式ローマンシェードにおいて、前記動力源と軸棒間に一つの遊星歯車部を連結設置することにより、該動力源の動力を変換し該軸棒を十分に回転させることを特徴とする電動式ローマンシェード。
【請求項４】
請求項１記載の電動式ローマンシェードにおいて、前記スライド体は2個設置を最良とすることを特徴とする電動式ローマンシェード。
【請求項５】
請求項１記載の電動式ローマンシェードにおいて、前記ロール部とヘッドレール間には一つの接合装置を設け、該接合装置は、該ヘッドレールに設置した接合台と、該接合台に相対し該ロール部に設置する嵌止台を含み、前記嵌止台は、一つの本体と、該本体から外方向に突設する嵌止部と、該嵌止部下に位置し該本体から傾斜突設する圧止片を含み、同時に該嵌止部上には一つの嵌止溝を形成し、また、該接合台には一つの基板と、該基板から外方向に突設し該嵌止部に対応する一つの接合部と、該基板から傾斜突設する一つの固定片を備え、並びに該固定片と基板間には一つの圧止溝を形成し、該圧止片を延伸配置して圧止させ、同時に接合部を該嵌止溝に嵌合させて、該ロール部を該ヘッドレール上に安定定位させることを特徴とする電動式ローマンシェード。
【考案の詳細な説明】
【技術分野】
【０００１】
本考案は、一種のカーテン設計に関するものであり、特に一種の電動式ローマンシェードを提供する。
【背景技術】
【０００２】
図１、図２を参照すると、公知のローマンシェード1は、一つのヘッドレール11と、一端を該ヘッドレール11上に固設した一つのシェード布12と、該シェード布12を昇降させる一つの伝動装置13を含む。その内の該ヘッドレール11内部エリア周辺には一つの内設空間111を形成し、該ヘッドレール11上には同時に一つの親テープ14を設置する。また、該シェード布12上縁箇所には一つの子テープ121を縫製することにより、該シェード布12は便利に該ヘッドレール11の親テープ14上に粘着固定し、該シェード布12のもう一端は下方向に下ろした状態となる。また、該伝動装置13は、該内設空間111内に軸設される一つの軸棒131と、該軸棒131と固定接合する一つの回転車133と、該回転車133上に巻き付く一つのチェーン132と、該軸棒131上に等間隔に設置する複数の導線台16を備える。前記の該導線台16は、該ヘッドレール11上に固設する一つの台体161と、該台体161に軸設する一つの回転軸162と、該回転軸162に巻き付ける糸163とを含む。
【０００３】
使用する場合、該チェーン132を手で引っ張り動かして該回転車133、軸棒131を回転させ、更に該導線台16の回転軸162を連動すると該糸163の巻き付けや放出が起き、該シェード布12の上げ下げ動作が達成される。
但し、該伝動装置13を動かすには手によって引っ張り動かしてこそ該シェード布12の上げ下げ状態を達成することができる故、使用上には改善点が残されている。また、該導線台16の回転軸162は平滑表面を呈している為、該糸163を巻き取る場合、該回転軸162上にスムーズに巻き付けられずに、該糸163が交差して重なり合い易く、それにより、以後に該糸163を出す場合、糸放出の不安定や、該糸163の放出長さの不均一を招き、それに相対して該シェード布12の上げ下げ美観に影響することが、実際に改善を要する点である。
【考案の開示】
【考案が解決しようとする課題】
【０００４】
本考案の目的は、一種の電動式ローマンシェードを提供することにあり、それは、手動方式を採用せず時間と労力を省く他、該糸を安定放出し、使用便利性や上げ下げ美観等の効果を向上させるものである。
【０００５】
そこで、本考案の電動式ローマンシェードは主に、一つのヘッドレールと一つのロール部と一つの伝動装置と一つの制御部を含む。その内の該伝動装置は、該内設空間内に軸設する一つの軸棒と、該軸棒を回転させる一つの動力源と、該軸棒に等間隔で設置される複数の導線台とを備える。また、各導線台の回転軸には複数のネジ山を設けて一つの糸を巻き付け、該制御部は、外在制御信号を受信する一つの受信ユニットと、受信ユニットと連結する一つの制御ユニットと、該制御ユニットに連結する一つの位置制限ユニットを備える。該制御ユニットが該糸、ロール部を直接制御して同時に上げ下げする効果がある故、時間や労力のかかる手動調節をせずに済む。また、更に該糸を該回転軸に繞設するネジ山に配置することにより糸の放出が安定し、該ロール部のスムーズな上げ下げを助け、使用の便利性を高める。
【課題を解決するための手段】
【０００６】
請求項１の考案は、電動式ローマンシェードにおいて、
一つのヘッドレールは、その内部エリア周囲に開放状態の一つの内設空間を形成し、一つのロール部は、その一端を該ヘッドレール上に固定し、もう一端を自由に開き放ち下垂し並びに一つのエッジを形成し、
一つ伝動装置は、該内設空間内に軸設する一つの軸棒と、該軸棒を回転させる一つの動力源と、該軸棒上に等間隔で設置される複数の導線台とを備え、その内の各導線台は、該ヘッドレールに固設する一つの台体と、該台体に軸設する一つの回転軸と、該回転軸に巻き付ける一つの糸とを含み、前記の回転軸には複数のネジ山を設け、且つ何れか二つのネジ山間には一つの配置空間を設けてあり、該糸を巻き付け且つ該糸に安定した放出をさせるのと同時に、該糸は該ロール部の自由に下垂するエッジに固定接合し、
一つの制御部は、外在制御信号を受信する一つの受信ユニットと、受信ユニットに連結する一つの制御ユニットと、該制御ユニットに連結する一つの位置制限ユニットを備え、その内の該受信ユニットが受信した外在信号は該制御ユニットに伝送され、該制御ユニットを連動し該動力源の駆動を制御し、また該位置制限ユニットは、該内設空間内に設ける一つの基台と、該基台に軸設し該軸棒に連結するネジ棒と、該基台両端に別々に設ける極限スイッチと、該ネジ棒に螺設し該基台に嵌止定位する最低一つのスライド体とを備え、前記の極限スイッチは該制御ユニットに連結し、該スライド体が該極限スイッチを圧止するのと同時に、該動力源を制御して該ロール部の作動を停止させることを特徴とする電動式ローマンシェードとしている。
請求項２の考案は、請求項１記載の電動式ローマンシェードにおいて、前記ヘッドレールの内設空間内には膨らみ柔らかい組織の消音綿を充填することを特徴とする電動式ローマンシェードとしている。
請求項３の考案は、請求項１記載の電動式ローマンシェードにおいて、前記動力源と軸棒間に一つの遊星歯車部を連結設置することにより、該動力源の動力を変換し該軸棒を十分に回転させることを特徴とする電動式ローマンシェードとしている。
請求項４の考案は、請求項１記載の電動式ローマンシェードにおいて、前記スライド体は2個設置を最良とすることを特徴とする電動式ローマンシェードとしている。
請求項５の考案は、請求項１記載の電動式ローマンシェードにおいて、前記ロール部とヘッドレール間には一つの接合装置を設け、該接合装置は、該ヘッドレールに設置した接合台と、該接合台に相対し該ロール部に設置する嵌止台を含み、前記嵌止台は、一つの本体と、該本体から外方向に突設する嵌止部と、該嵌止部下に位置し該本体から傾斜突設する圧止片を含み、同時に該嵌止部上には一つの嵌止溝を形成し、また、該接合台には一つの基板と、該基板から外方向に突設し該嵌止部に対応する一つの接合部と、該基板から傾斜突設する一つの固定片を備え、並びに該固定片と基板間には一つの圧止溝を形成し、該圧止片を延伸配置して圧止させ、同時に接合部を該嵌止溝に嵌合させて、該ロール部を該ヘッドレール上に安定定位させることを特徴とする電動式ローマンシェードとしている。
【考案の効果】
【０００７】
本考案の電動式ローマンシェードは、手動方式を採用せず時間と労力を省く他、糸の放出を安定させ、使用便利性や上げ下げ美観を向上させる効果を持つことを特徴とする。
【考案を実施するための最良の形態】
【０００８】
本考案を詳細説明する前に注意して戴きたいのは、以下の説明における類似部品は同様番号にて表示してある点である。
図３、図４を参照すると、本考案の電動式ローマンシェードの実施例１において、該電動式ローマンシェード2は、一つのヘッドレール21と、該ヘッドレール21に固設する一つのロール部22と、ヘッドレール21内に設置する伝動装置23と、該伝動装置23を駆動する一つの制御部24とを含む。その内の該ヘッドレール21内部エリア周囲には開放状態の一つの内設空間211を形成し、また、該ロール部22の一端は該ヘッドレール21上に固定し、もう一端は、自由に開き下垂する一つのエッジ221を形成する。
【０００９】
前述に続き、該伝動装置23は、該内設空間211内に軸設する一つの軸棒231と、該軸棒231を回転させる動力源232と、該軸棒231に等間隔で設置される複数の導線台233とを含む。その内の該動力源232と軸棒231間には一つの遊星歯車部238を連結設置することにより、該動力源232が更に十分な動力を起こして該軸棒231を回転させることができる。各導線台233は、該ヘッドレール21に固設する一つの台体234と、該台体234に軸設する一つの回転軸235と、該回転軸235に巻き付ける一つの糸236とを含む。前記回転軸235には複数のネジ山237を設け、且つ何れか二つのネジ山237間には一つの配置空間2371を設けてある故、該回転軸235は、該糸236を該配置空間2371に巻き付ける他、該糸236を安定的に放出することもでき、且つ該糸236は該ロール部22の自由に下垂するエッジ221に固定接合する。
【００１０】
参照する図４、図５によると、該制御部24は、一つの受信ユニット241と一つの制御ユニット242と、該制御ユニット242に連結する一つの位置制限ユニット243とを含む。その内の該受信ユニット241は、図中に示したリモコン3の発射する外在信号を受信し、該受信ユニット241と該制御ユニット242を相互に連結している故、該受信ユニット241の受信した外在信号は該制御ユニット242に伝送される。また、該位置制限ユニット243は、該内設空間211内に設けた一つの基台244と、該基台244に軸設し該軸棒231に連結するネジ棒239と、該基台244両端に別々に設ける極限スイッチ248と、該ネジ棒239に螺設し該基台244に嵌止定位するスライド体247（図中では二つを表示）を備える。その内の該極限スイッチ248は機械プッシュ式または電子センサー式等の全てが可能であり、図中においては機械プッシュ式を例として説明している。また、該極限スイッチ248は、該制御ユニット242に連結、且つ、該動力源232に連結しており、該制御ユニット242と該動力源232を相互連結し該動力源232を直接駆動制御して作動させる他、該スライド体247によって該極限スイッチ248を圧止するのと同時に、該動力源232を制御して該ロール部22の作動を停止させ、これにより、確実な定位と使用における便利性の向上等の効果を達成する。
【００１１】
参照する図５、図６を使用する場合、まず使用者は直接該リモコン3をプッシュし一つの外在信号を出力すると、該受信ユニット241が受信し、該制御ユニット242を経て分析され起動、該制御ユニット242が該動力源232の作動を制御することにより、該動力源232は該遊星歯車部238を経て該軸棒231、導線台233を同時に回転させると、該糸236の糸放出作業を同時に引き起こし該ロール部22は下方向に放たれ開く動作を達成する。且つ、前記の該導線台233が線を放出する場合、該糸236はネジ山237に制限されて、安定した線放出ができる故、以前にも増して該ロール部22は平坦に整って下方向に垂らされる。該位置制限ユニット243もまた該伝動装置23と同時に作動、即ち、該ネジ棒239が該軸棒231によって動かされると、該スライド体247が即刻該ネジ棒239上にて移動し（図６に示す方向）、且つ、該スライド体247が該極限スイッチ248を圧止すると、該動力源232の動力出力が即刻停止し、該ロール部22は定位停止状態となる。前記は人為操作でない場合であるが、当然使用者が直接リモコン3をプッシュして随時該動力源232の回転を停止することも可能であり、該ロール部22を使用者が停止させたい箇所に止めることができる。
【００１２】
これに反し、該リモコン3をプッシュして該制御部24と動力源232を駆動して該ロール部22を巻き上げる場合は、該スライド体247が該ネジ棒239上において別の相反方向に移動する他、各導線台233の回転軸235が該糸236を巻き付ける過程で、該糸236は何れか二つのネジ山237間の配置空間2371に沿ってゆっくり糸を巻き付ける故、該糸236の交差重なり現象の発生を防止し、後続する線放出を更にスムーズにするのを助け該回転軸235に巻きつける元々の位置から偏って離脱することがなく、該スライド体247が別の極限スイッチ248を圧止すると、該ロール部22は即刻巻き上げを停止する。
【００１３】
図７を参照すると、本考案の実施例２は、一つのヘッドレール21と一つのロール部22と一つの伝動装置23と一つの制御部24を含む。その内の前記該ヘッドレール21とロール部22と伝動装置23と制御部24等の構造及びその連結関係等はどれも実施例１と同様である故ここでは詳述しない。特に、本実施例の該内設空間211には膨らみ柔らかい組織の消音綿212を充填することも可能であり、並びに該消音綿212によって該伝動装置23を包み込むことにより、該伝動装置23の作動過程で発生する騒音吸収を助け、且つ、該内設空間211内の旋回発生を防止して使用品質を良好にする。
【００１４】
図８を参照すると本考案の実施例３は、一つのヘッドレール21と一つのロール部22と一つの伝動装置23と一つの制御部24を含み、本考案の特徴は次のとおりである。該ロール部22とヘッドレール21間に一つの接合装置33を設け、該接合装置33は該ヘッドレール21に設置する接合台331と、該接合台331に相対し該ロール部22に設置する嵌止台332を含む。その内の該嵌止台332は、一つの本体333と、該本体333から外方向に突設する嵌止部334と、該嵌止部334下に位置し該本体333から傾斜突設する圧止片335を備えており、前記の該嵌止部334上には一つの嵌止溝336を形成する。また、該接合台331には一つの基板337と、該基板337から外方向に突設し該嵌止部334に対応する接合部338と、該基板337から傾斜突設する固定片339を備える。前記の固定片339と基板337間には一つの圧止溝330を形成し、該圧止片335を延伸配置して圧止させる。
【００１５】
図９を参照すると、該嵌止台332と接合台331を接合する場合、それは該圧止片335をまず該圧止溝330内に挿入配置し、この時該接合部338を該嵌止部334の該嵌止溝336内に嵌止し、該圧止片335は該固定片339の圧止を受ける故、該嵌止台332は安定支持効果を確保できる他、更に該嵌止部334と接合部338を相互に嵌止することにより、該嵌止台332と接合台331を安定接合する為、該嵌止台332に縫製設置したロール部22もまた安定定位することができる。
【００１６】
前述をまとめると、本考案の電動式ローマンシェードは、使用者が該制御部によって直接該ロール部を駆動し巻き上げと開く位置を制御するだけでよく、手動による調節を必要とせず、時間と労力を省くことができ、該糸はまた、順序よく該ネジ山間に巻き付き、伝動過程において該糸の重なり合いや元の巻き付け位置からの偏り離脱を防ぎ、安定した線放出ができ、該ロール部の上げ下げ作業を更にスムーズにし、よって使用の便利性を高める故、確実に本考案の目的を達成する。
【図面の簡単な説明】
【００１７】
【図１】公知のローマンシェードの立体断面図である。
【図２】公知のローマンシェードの立体図である。
【図３】本考案の実施例１の立体図である。
【図４】本考案の実施例１の断面図である。
【図５】本考案の制御部の拡大図である。
【図６】本考案の実施例１の実施例状態図である。
【図７】本考案の実施例２の断面図である。
【図８】本考案の実施例３の立体図である。
【図９】本考案の実施例３の実施状態図である。
【符号の説明】
【００１８】
1  ローマンシェード
11  ヘッドレール
111  内設空間
12  シェード布
121  子テープ
13  伝動装置
131  軸棒
132  チェーン
133  回転車
14  親テープ
16  導線台
161  台体
162  回転軸
163  糸
2  電動式ローマンシェード
21  ヘッドレール
211  内設空間
212  消音綿
22  ロール部
221  エッジ
23  伝動装置
231  軸棒
232  動力源
233  導線台
234  台体
235  回転軸
236  糸
237  ネジ山
2371  配置空間
238  遊星歯車部
239  ネジ棒
24  制御部
241  受信ユニット
242  制御ユニット
243  位置制限ユニット
244  基台
247  スライド体
248  極限スイッチ
3    リモコン
33  接合装置
330  圧止溝
331  接合台
332  嵌止台
333  本体
334  嵌止部
335  圧止片
336  嵌止溝
337  基板
338  接合部
339  固定片
【図１】
0003142071.tif 000003
【図２】
0003142071.tif 000004
【図３】
0003142071.tif 000005
【図４】
0003142071.tif 000006
【図５】
0003142071.tif 000007
【図６】
0003142071.tif 000008
【図７】
0003142071.tif 000009
【図８】
0003142071.tif 000010
【図９】
0003142071.tif 000011